(57)【要約】【課題】  使用後のプランジャからの液体の滴下を防止するための一体型カバーを含む、トイレット及び排水管などから障害物を除去するための給排水装置を提供する。【解決手段】  無滴下プランジャ（１０）は、シャフト（１５）に結合した頭部（１６）と、詰まった排水管を清掃するためのプランジャ（１０）の使用の後に頭部（１６）からの滴下を防止するためにカバー（１４）が頭部（１６）の上に重なる閉鎖位置から、カバー（１４）が頭部（１６）から遠い位置に移動され、頭部（１６）が排水管の周りに密封するように置かれて排水管の詰まりを除くために水を排水管を通して押し流すように変形されることを可能にする開放位置まで、ユーザのシャフト（１５）上のアクチュエータ（１２）の制御の下で移動可能なカバー（１４）とを含む。
2005533946.tif 000002
【特許請求の範囲】
【請求項１】
詰まった排水管を通して水を押し流すユーザ操作の作動のため、及び、作動のための使用後に該排水管から遠いプランジャ保管場所まで該排水管からプランジャが移送される時にプランジャから下の床面上への水の滴下を最小にするためのプランジャであって、
詰まった排水管開口部の上に開放／密封配置するように構成された変形可能な頭部と、
前記詰まった排水管開口部の上の開放／密封配置における前記頭部の変形を達成し、それによって該詰まった排水管を通して水を押し流すためにユーザが操作して縦方向に変位させる前記頭部に結合したユーザ把持可能な細長いシャフトと、
ユーザがプランジャの使用を操作してカバーによって妨げられることなく前記詰まった排水管の詰まりを除くために前記頭部が該詰まった排水管開口部の上に開放／密封配置に置かれた時に、カバーが前記頭部から遠くに位置決めされる第１の位置と、プランジャを前記詰まった排水管から遠くの保管場所まで移送するために前記頭部が該詰まった排水管開口部の上の前記開放／密封配置から除かれた時に、カバーが該頭部を少なくとも部分的に取り囲んで該頭部から滴下する液体をカバー内に捕捉する第２の位置との間でユーザが移動を達成するように配置された、前記シャフト上の滴下最小化カバーと、
を含み、
前記カバーは、前記頭部から該カバー内に滴下した前記捕捉液体を該カバー内に保持し、それによって該捕捉液体がプランジャから下の床面上に滴下するのを防止するように構成される、
ことを特徴とするプランジャ。
【請求項２】
前記カバーは、該カバーの前記第２の位置において、プランジャ装置を自立した直立位置に支持するための底面を有する基部を形成することを特徴とする請求項１に記載のプランジャ。
【請求項３】
前記カバーは、前記第２の位置において前記頭部から該カバー内に滴下した捕捉液体を保持するように構成された、前記底面の近くのリップを含むことを特徴とする請求項２に記載のプランジャ。
【請求項４】
前記リップは、滴下した捕捉液体を収集するための溝を形成することを特徴とする請求項３に記載のプランジャ。
【請求項５】
前記カバーは、前記第２の位置において前記頭部から該カバー内に滴下した捕捉液体を保持するように構成されたリップを含むことを特徴とする請求項１に記載のプランジャ。
【請求項６】
前記リップは、前記頭部から滴下した捕捉液体を収集するための溝を形成することを特徴とする請求項５に記載のプランジャ。
【請求項７】
前記カバーは、スリットによって分割された複数の部分を含み、該複数の部分は、該カバーが前記第１の位置から前記第２の位置に移動される時に該部分が前記頭部の上を取り囲むように移動する時、接触で生じた該部分の外向きの変形に対して外向きに変形可能な可撓性を有することを特徴とする請求項１に記載のプランジャ。
【請求項８】
前記カバー及び前記シャフトに結合し、該カバーの前記第１及び第２の位置の間で該カバーを移動するために該シャフトに沿って縦方向に変位可能なカバー作動ハンドルを更に含むことを特徴とする請求項７に記載のプランジャ。
【請求項９】
前記カバー作動ハンドルは、前記シャフトに沿う該ハンドルの変位をユーザが操作するためにユーザによって把持可能な、該シャフト上に同心的に担持された中空チューブを含むことを特徴とする請求項８に記載のプランジャ。
【請求項１０】
前記カバー及び前記シャフトに結合し、該カバーの前記第１及び第２の位置の間で該カバーを移動するために該シャフトに沿って縦方向に変位可能なカバー作動ハンドルを更に含むことを特徴とする請求項１に記載のプランジャ装置。
【請求項１１】
前記カバーを前記第１及び第２の位置の間で移動するために前記シャフト上に変位可能に担持されたカバー作動ハンドルを更に含み、
前記カバーは、該カバーが前記第１及び第２の位置の間で移動する時に前記シャフトに対してピボット回転で移動するように各々取り付けられた複数の個別カバー部分を含む、
ことを特徴とする請求項１に記載のプランジャ。
【請求項１２】
前記カバー部分の各々は、該カバー部分の各々が、前記頭部から離れる前記ハンドルの移動に応じて、前記カバーの前記第２の位置における前記頭部の近くの閉鎖位置と前記カバーの前記第１の位置における前記頭部から遠くの開放位置との間でピボット回転するように前記ハンドルと作動的に結合されることを特徴とする請求項１１に記載のプランジャ。
【請求項１３】
前記ハンドルと複数の連結器とに結合したリング要素を更に含み、
前記複数の連結器の各連結器は、前記リングと前記複数のカバー部分の対応するものとの間に結合される、
ことを特徴とする請求項１２に記載のプランジャ。
【請求項１４】
前記シャフトに固定して結合された中央カバー部分を更に含み、
前記カバー部分の各々は、前記カバーを前記第１及び第２の位置の間で移動するために前記ハンドルが変位される時に、該ハンドルに対してピボット回転で移動するように該ハンドルと作動的に結合される、
ことを特徴とする請求項１１に記載のプランジャ。
【請求項１５】
前記ハンドルと複数の連結器とに結合したリング要素を更に含み、
前記複数の連結器の各々は、前記リングと前記複数のカバー部分の対応するものとの間に結合される、
ことを特徴とする請求項１４に記載のプランジャ。
【請求項１６】
前記ハンドルと前記シャフトの間に配置されて、通常は該ハンドルを該シャフトに沿って前記頭部から離れる方向に付勢するバネを更に含むことを特徴とする請求項１１に記載のプランジャ。
【請求項１７】
前記バネの前記付勢に対抗して前記ハンドルを前記シャフトに沿う所定の変位位置に維持するための保持装置を更に含むことを特徴とする請求項１６に記載のプランジャ。
【請求項１８】
前記保持装置は、前記所定の変位位置を維持するように前記ハンドルと係合可能で前記シャフト上に担持された変位可能な押しボタンを含むことを特徴とする請求項１７に記載のプランジャ。
【請求項１９】
前記押しボタンは、前記カバーが前記第２の位置にある時に前記ハンドルと係合可能であることを特徴とする請求項１８に記載のプランジャ。
【請求項２０】
前記ハンドルと前記シャフトの間に配置されて、通常は該ハンドルを該シャフトに沿って前記頭部から離れる方向に付勢するバネと、該バネの該付勢に対抗して該ハンドルを該シャフトに沿う所定の変位位置に維持するための保持装置とを更に含むことを特徴とする請求項１３に記載のプランジャ。
【請求項２１】
前記保持装置は、前記ハンドル上の爪と該爪に係合させるための前記リング上の歯とを含むことを特徴とする請求項２０に記載のプランジャ。
【請求項２２】
前記シャフトは、螺旋溝を含み、
前記ハンドルは、前記カバーを前記第１及び第２の位置の間で移動させるために該ハンドルが前記シャフトに沿って変位される時に該ハンドルが該シャフトに対して捻れるように、前記溝と係合するように構成された突起を含む、
ことを特徴とする請求項１１に記載のプランジャ。
【請求項２３】
所定の限界位置を超える前記ハンドルの前記シャフトに沿う変位を防止するために該ハンドルの突起と接触係合するように配置されたストップを更に含むことを特徴とする請求項２２に記載のプランジャ。
【請求項２４】
前記ストップは、前記カバーの前記第１の位置において前記ハンドルの突起と接触することを特徴とする請求項２３に記載のプランジャ。
【請求項２５】
前記シャフトは、中央部分と前記螺旋溝が形成された外側部分とを含むことを特徴とする請求項２２に記載のプランジャ。
【発明の詳細な説明】
【技術分野】
【０００１】
本発明は、使用後のプランジャからの液体の滴下を防止するための一体型カバーを含む、トイレット及び排水管などから障害物を除去するための給排水装置に関する。
【背景技術】
【０００２】
従来の手動操作式プランジャは、ハンドルに取り付けられた弾力的に変形可能なカップ又は頭部を含む。使用時には、詰まった排水管の上にその周りに密封を形成するようにカップが置かれ、次に、ハンドルが押し下げられてカップを押し潰し、排水管の障害物に圧力を加える。プランジャのカップ部分は、様々な用途に応じて、加えられる圧力を増大させるために多くの異なる形態に設計されている。例えば、米国特許第１，１９３，４７６号（Ｂｌｏｃｋ）は、補強リムを備えた基本的にカップ状の意匠を有するプランジャを開示しており、米国特許第５，９７４，５９６号（Ｓｔｒｚｏｋ）は、障害物に圧力を加えるための内側空洞及び外側空洞を有するプランジャ装置を開示しており、米国特許第６，１４５，１３５号（Ｐｏｏｌ他）は、ノズルを通って吸い出されて放出される水に渦運動を付与するための螺旋形の側壁、つまり螺旋ひだを有するプランジャを開示しており、米国特許第６，１９２，５２５号（Ｔａｓｈ）は、様々な大きさ及び形状の排水管に適応した端部を有し、プランジャの使用中に共に圧縮されるひだ付き蛇腹も含むプランジャを開示している。
【０００３】
上述のプランジャ設計の全てが有する問題は、プランジャがその使用場所から保管場所に移される時に、プランジャに残っている液体が移送中に頻繁に床、カーペット、又は下の表面上に滴下することになる点である。１つの解決策は、移送中にプランジャの下に保護装置、つまり布又は受け容器を保持することである。しかし、この解決策は、移送中に別の部品を保持することを必要とし、面倒かつ不便である。
【０００４】
【特許文献１】米国特許第１，１９３，４７６号
【特許文献２】米国特許第５，９７４，５９６号
【特許文献３】米国特許第６，１４５，１３５号
【特許文献４】米国特許第６，１９２，５２５号
【発明の開示】
【０００５】
本発明の目的は、滴下を防止する一体型カバーを含み、それによってプランジャがその使用場所からその保管場所に移される時に床、カーペット、又は下の表面を不用意に汚すことを防ぐプランジャを提供することである。
本発明によれば、プランジャは、排水管を通して水を作動的に押し流すことができる変形可能な頭部、及び頭部に結合したハンドルを含む。更に、本発明のプランジャは、閉鎖位置から開放位置まで移動可能な一体型カバーを含む。閉鎖位置において、カバーは、頭部を封入し、液体が頭部から下の表面上に滴下するのを防止する。カバーは、頭部が露出されて頭部の意図した排水管清掃用途を可能にするためにカバーが外されるその開放位置まで移動可能である。
【０００６】
第１の実施形態では、カバーは、スリットによって分割された部分を有する一体形カバー要素を含む。この部分は、カバーが閉鎖位置と開放位置の間を動く間に頭部の上を通過する時、外向きに撓む。
第２の実施形態では、カバーは、頭部に結合したシャフトに各々がピボット式に結合した複数の個別のカバー部分を含む。ハンドルは、シャフトの縦軸線に沿って移動可能である。各個別カバー部分はまた、ハンドルがシャフトに沿って頭部から離れる方向へ移動する時に個別カバー部分が開放位置に向けてピボット回転するように、連結器を通じてハンドルに結合される。
【０００７】
本発明の他の目的及び特徴は、添付図面と共に以下の詳細な説明を考察することにより明らかになるであろう。しかし、添付図面は単に例示を目的としており、本発明の限界を定めるものではなく、それに関しては特許請求の範囲を参照すべきであることは理解されるものとする。更に、添付図面は、必ずしも縮尺通りではなく、特に断らない限り、本明細書に説明した構造及び方法を単に概念的に説明するためのものであることを理解すべきである。
図面において、同じ参照符号は、いくつかの図を通して類似の要素を示している。
【発明を実施するための最良の形態】
【０００８】
図１〜４は、本発明の第１の実施形態に従って構成されたプランジャ１０を示す。プランジャ１０は、図１ではその閉鎖位置、図２ではその開放位置にあり、一端が頭部１６に結合したシャフト１５を含む。頭部１６及びシャフト１５は、頭部の変形によって生じる圧力の下で液体を排水管を通して押し流し、障害物を管を通して押し流すことによりそれらを除去する従来の方法で使用される。すなわち、頭部１６は、清掃される排水管の周りに密封を作り出すように置かれ、シャフト１５は、頭部１６に向けて前進させられ、頭部を押し潰して清掃される排水管に圧力の急増をもたらす。従って、頭部１６は、可撓性を有し、シャフト１５に加わる前進力が取り除かれるか又は中断された時にその元の形状に自己復元するゴムのような材料で形成されるべきである。他方、シャフトは、例えば、金属、木材、繊維ガラス、又は別の同様の曲がらない材料のような剛性材料で形成されるべきである。頭部１６は、図１〜４において、端部部分又は部材１６ｂに結合したほぼカップ状の上部部分１６ａを有するものとして示されている。しかし、頭部１６は、以下に限定されるものではなく例示的に、米国特許第１，１９３，４７６号（Ｂｌｏｃｋ）、米国特許第５，９７４，５９６号（Ｓｔｒｚｏｋ）、米国特許第６，１４５，１３５号（Ｐｏｏｌ他）、又は米国特許第６，１９２，５２５号（Ｔａｓｈ）に開示された頭部のような、詰まった管の周りに密封を作り出し、加圧下に水又は液体を排水管を通して押し流し、そこにある障害物を取り除くのに適する任意の頭部の意匠を含むことができる。
【０００９】
プランジャ１０はまた、カバー１４、及びカバー１４に結合したプルハンドル１２を含む。プルハンドル１２は、カバー１４が頭部１６を取り囲む頭部１６に近い第１の位置（図１参照）から、頭部１６が詰まった排水管を清掃するその意図した用途のために準備ができるように頭部１６から遠い位置へ変位された第２の位置（図２）までシャフト１５に沿って移動可能である。カバー１４は、複数のスリット２０を含み、これらは、プルハンドル１２がその第１の位置からその第２の位置まで移動される時に、スリット２０の間にスリットによって形成されたカバー１４の各部分が頭部１６の上で外向きに撓むことを可能にする（図４参照）。従って、カバー１４は、ゴム又はウレタンのような可撓性材料で構成される。カバー１４はまた、スリット２０間のカバー部分を撓み易くする活動的ヒンジ部を形成する薄肉壁部分又は溝２４を有するように成形するか又は他の方法で形成することができる。プルハンドルは、例えば、成形することができる中空チューブの形態を有し、プルハンドル１２を操作してカバー１４を選択的に変位させることができるように、ポリプロピレン又はスチレンのような十分な剛性を有する材料を含む。
【００１０】
排水管を清掃するためにプランジャ１０を使用する時は、プルハンドル１２は、カバー１４が図１に示す頭部１６の周りの位置から除かれるように、その第１の位置から第２の位置へ変位される。プランジャの使用後に、プルハンドル１２は、カバー１４が再び頭部１６の上及びその周りを取り囲んで配置されるようにその第１の位置へ戻される。カバー１４の底面に沿った基部領域２２は、保管又はそれ以外の非使用期間中にプランジャ１０を自立した位置に支持することができる平坦区域又は縁部を形成する。
【００１１】
カバー１４の基部領域はまた、カバー１４の第１の位置において、頭部１６の最も下まで延びた部分の下に置かれたリップ１８を形成する。リップ１８（図３参照）は、プランジャをその使用場所から保管場所へ運ぶ時のようなプランジャ使用後に、頭部１６から滴下するいかなる液体も保持するように構成された谷又は溝１９を形成する。整列スリット２０間のカバー１４の各部分のリップ１８はまた、任意的な延長部１８ａ（図５）を有することができ、これは、そのカバー部分から次の隣接するカバー部分に部分的に重なる位置まで突出し、隣接するカバー部分を隔てるスリット２０から液体が滴下するのを防止する。
【００１２】
図６〜８は、本発明によるプランジャ１１０の別の実施形態を示す。プランジャ１１０においては、頭部１１６は、詰まった又は障害物のある排水管を通して液体を作動的に押し流す実質的に従来の方法で使用するためにシャフト１４２に結合される。頭部１１６及びシャフト１４２は、図１〜５に示す実施形態の頭部１６及びシャフト１５と同様に構成することができる。
プランジャ１１０はまた、カバー１１４及び関連のハンドル１１２を含む。カバー１１４は、図示の実施例では、シャフト１４２にピボット式に結合された３つの別々のカバー部分１１４ａ、１１４ｂ、及び１１４ｃで形成される。図６〜８に示す実施形態は３つのカバー部分を含むが、代替的に、カバー１１４は、２つ又は３つよりも多いカバー部分で形成することができる。プランジャカバーの製造を容易にするために、各カバー部分は同一である。図６は、カバー１１４を閉鎖位置で示しており、図７は、カバーを開放位置で示している。図８を参照すると、ハンドル１１２は中空であり、シャフト１４２の上に同心的に嵌り込む。更に、ハンドルは、シャフト１４２の外面に形成された螺旋溝１４３内でこれに沿って移動可能な半径方向内向きの突起１１３を有する。ハンドル１１２をシャフト１４２に対して選択的に回転すると、シャフトは、ハンドルを出入りして入れ子式に変位させられる。各カバー部分１１４ａ、１１４ｂ、及び１１４ｃは、それぞれ連結器１２４ａ、１２４ｂ、及び１２４ｃを通じてリング１３０に結合され、ハンドル１１２は、リング１３０がハンドル１１２と共にシャフト１４２の長さに沿って移動するようにリング１３０に結合される。しかし、シャフト１４２は、ハンドルが回転してシャフト１４２をハンドルを出入りするように入れ子式に駆動する時、ハンドル１１２と共には回転しない。各連結器１２４ａ、１２４ｂ、及び１２４ｃの一端は、リング１３０にピボット式に結合され、他端は、カバー部分１１４ａ、１１４ｂ、及び１１４ｃの対応するものにピボット式に結合される。すなわち、ハンドルが回転してシャフト１４２に沿って相対的に変位される時、リング１３０は、ハンドル１１２と共に運ばれ、それによって連結器１２４ａ、１２４ｂ、及び１２４ｃを上方に移動し、カバー部分１１４ａ、１１４ｂ、及び１１４ｃを図７に示すそれらの開放位置へピボット回転させる。
【００１３】
シャフト１４２の上部と中空ハンドル１１２の盲端との間には、内部バネ１４０が配置される。バネ１４０は、カバー１１４が図６及び８に示す閉鎖位置にある時に圧縮され、それによってシャフト１４２をハンドルから外向きに付勢する。更に、押しボタン１４６が、シャフト１４２上に置かれ、十分な閉鎖位置において、ハンドルに形成された孔１４７を通って延び（図８参照）、それによってバネ１４０の戻り付勢力に対してカバー１１４をその完全な閉鎖位置に保持する。押しボタン１４６が手動で押し下げられてハンドル１１２の孔１４７内に係合した延長状態から解放された時、ハンドルは、カバー１１４がその完全な開放位置に達するまでバネ１４０の付勢力の下で外向きに伸張し、プランジャは、その後その従来の方法で使用することができる。シャフト１４２がハンドル１１２から抜け出ることを防止するために、ハンドルの突起１１３と相互作用するためのストップ１４８を溝１４３に形成することができる。ストップ１４８はまた、カバーがその完全開放位置に達した時に孔１４７と係合するユーザ押し下げ可能な押しボタンの形態をとることができる。
使用後にカバー１１４を閉じるために、ハンドル１１２は、リング１３０に対して捻られ、カバーがその完全閉鎖位置に達するまでバネ１４０の付勢力に対してシャフト１４２をハンドル１１２内に引き入れる。ストップ１４８が押しボタンとして実装されている場合は、ハンドル１１２の捻れる動きを開始するために最初にそれを押し下げなくてはならない。
【００１４】
図９に示す別の変更形態では、リング１３０は、その内部周囲に沿って分布した歯２４７を含む。図６〜８に示す実施形態におけるように押しボタン１４６をハンドルに形成された孔に係合させる代わりに、リングに対するハンドルの意図せぬ回転を防止するために、押しボタン１４６は、リング歯２４７と係合可能である。この変更においては、押しボタンが歯と係合する時に、カバー１１４をその完全閉鎖位置、その完全開放位置、又はこれら両位置間の任意の位置で保持可能である。
【００１５】
閉鎖手順を達成するために、ユーザは、シャフト１４２がハンドル内に嵌り込み、カバー１１４がその閉鎖位置に向けて変位されるように、ハンドル１１２を握り、これをリング１３０に対して捻る。ユーザの力、ユーザの柔軟さ、及びユーザが最初にハンドルを握った位置により、ハンドルを更に捻って完全閉鎖位置に到達させるために、ユーザは、ハンドルの握りを一時放して握り位置を再調節する必要があるであろう。図９に示す変更形態は、完全閉鎖位置に到達する以前に仮にユーザがハンドルから手を放した場合でも、押しボタン１４６と歯２４７の相互係合が中間位置から開放位置へ向うカバーの戻りの動きを防止するので、閉鎖手順中にユーザが握り位置を再調節するためにハンドルから一時的に手を放すことを可能にし、この手順を容易にする。代替的に、歯２４７及び押しボタン１４６は、ハンドル内へのシャフト１４２の自由な動きは許すが、シャフトをハンドルから外向きに進めるためには押しボタン２４６の作動を必要とするラチェット爪及び歯として実装することができる。この図９の変更は、従って、ユーザが押しボタン１４６を作動することなくカバー１１４を容易に閉鎖することを可能にする。
【００１６】
図６〜８に示すプランジャの更に別の変更形態においては、カバー部分１１４ａ、１１４ｂ、及び１１４ｃは、シャフト１４２上に固定して装着された中央カバー部分にピボット可能又はヒンジ可能に結合することができる。このようにして、カバー１１４全体は、プランジャの残りの部分に装着する前に一体型ユニットとして構成することができる。図１０から分るように、中央カバー部分１１４ｄは、シャフト１４２上に固定して装着される。カバー部分１１４ａ、１１４ｂ、及び１１４ｃは、それらが閉鎖位置から開放位置までピボット回転可能なように中央カバー部分１１４ｄにヒンジ結合され、カバーが閉鎖位置にある時にプランジャからの滴下を最小にするような任意の適切な方法で構成することができる。明らかなように、カバー部分１１４ａ、１１４ｂ、及び１１４ｃは、代わりに、図７に示すようなピボットピンを使用して中央カバー部分１１４ｄにピボット回転可能に結合することができる。
【００１７】
図１〜５に示す実施形態のように、図６〜１０に示す様々な実施形態におけるカバー１１４は、任意的に、重なり合うリップ１８を形成するような形状を有することができ、これは、頭部１１６の下にあり、プランジャを使用場所から保管位置へ移送する間に頭部から滴下するいかなる液体も保持する溝又は谷１９を形成する。
図６〜１０に示すカバー１１４は、可撓的である必要はなく、従って、ポリプロピレン又はスチレンのような硬質プラスチック又は他の剛性材料で構成することができる。ハンドル１１２及び連結器１２４ａ、１２４ｂ、及び１２４ｃは、硬質プラスチック又はこれに類する材料で同様に形成することができる。ピボット式結合は、例えば、金属又はプラスチックピンを使用して達成することができる。更に、ハンドル１１２の突起１１３は、金属、硬質プラスチック、又は適切な強度を有する他の材料で作ることができる。シャフト１４２は、図８に示すように中央部分１４２ａ及び外側部分１４２ｂを含むことができる。中央部分１４２ａは、木材又はプラスチックのような従来のプランジャシャフトの方法で実装することができ、外側部分１４２ｂは、硬質プラスチック又は適切な強度を有する他の材料で形成することができる。従って、本発明の無滴下の機能性は、そうでない従来のプランジャに容易に追加するか又は組み込むことができる。
【００１８】
すなわち、本発明の好ましい実施形態に適用した時の本発明の基本的で新規な特徴を示し、説明し、指摘したが、当業者は、本発明の精神から逸脱することなく、説明した装置の形態、詳細、及びそれらの作動の様々な省略、置換、及び変更を為し得ることが理解されるであろう。例えば、同じ結果を達成するために実質的に同じ方法で実質的に同じ機能を実行する要素の全ての組合せは、本発明の範囲内であることが明らかに意図されている。更に、開示された本発明のいかなる形態又は実施形態に関連して示された及び／又は説明された構造及び／又は要素も、他の任意の開示された又は説明された又は示唆された形態又は実施形態に意匠選択の一般的事項として組込むことができることを認識すべきである。本発明は、従って、特許請求の範囲に示すように限定されるのみである。
【図面の簡単な説明】
【００１９】
【図１】閉鎖位置にある本発明によるプランジャの側面図である。
【図２】開放位置にある図１のプランジャの側面図である。
【図３】線ＩＩＩ−ＩＩＩに沿って取った図１のプランジャの断面図である。
【図４】閉鎖及び開放位置間の中間位置にあるカバーを示す図１のプランジャの斜視図である。
【図５】プランジャカバーのスリットを示すプランジャカバーの部分図である。
【図６】閉鎖位置にある本発明の更に別の実施形態によるプランジャの側面図である。
【図７】開放位置にある図６のプランジャの側面図である。
【図８】線ＶＩＩＩ−ＶＩＩＩに沿って取った図６のプランジャの断面図である。
【図９】本発明の更に別の実施形態のハンドルの詳細を示す部分断面図である。
【図１０】図７のプランジャの更に別の変更を示す側面図である。
【符号の説明】
【００２０】
１０  プランジャ
１２  アクチュエータ
１４  カバー
１５  シャフト
２０  スリット
【図１】
2005533946.tif 000003
【図２】
2005533946.tif 000004
【図３】
2005533946.tif 000005
【図４】
2005533946.tif 000006
【図５】
2005533946.tif 000007
【図６】
2005533946.tif 000008
【図７】
2005533946.tif 000009
【図８】
2005533946.tif 000010
【図９】
2005533946.tif 000011
【図１０】
2005533946.tif 000012
【国際調査報告】
2005533946.tif 000013